(57)【特許請求の範囲】
【請求項１】
入力される映像信号の信号形態パラメータをマニュアル調整して映像信号に応じた画像を表示する液晶表示装置において、水平ブランキングパルスの位置を調整するための第１のデータと水平ブランキングパルスの幅を調整するための第２のデータとの関係式を示すデータを保持する手段と、この関係式に基づいて前記第１のデータまたは前記第２のデータの何れか一方を調整するための入力を受け付ける調整データ入力部とを備えることを特徴とする液晶表示装置。
【請求項２】
調整後の水平ブランキングパルスの位置及び幅のデータを格納する手段を備えることを特徴とする請求項１記載の液晶表示装置。
【発明の詳細な説明】
【０００１】
【産業上の利用分野】
本発明は、信号形態パラメータが異なる種々の映像信号を入力しこれらのパラメータをマニュアル調整して映像信号に応じて画像表示する液晶表示装置に関するものである。
【０００２】
【従来の技術】
種々のコンピュータにて作成した画像をモニタ表示するための液晶プロジェクタ等の表示装置では、ドット数，ライン数等の映像信号形態が異なる様々な種類のコンピュータ画像を表示するために、接続されたコンピュータの機種ごとに水平カウント値（１水平走査線のドット数），垂直カウント値（１画面の水平走査線数）等のパラメータを予め設定しておいた複数種のものから選択してこれに切り換えて対応している。しかしながら、近年、コンピュータの機種の増加に伴って、全く新たな機種のコンピュータに対応しなければならない必要性が高くなっている。新たな機種のコンピュータに対応するためには、数種類のパラメータを調整して画像を正常に表示しなければならない。ところが、この調整作業は非常に複雑であり、専門的な技術を持っていない一般ユーザには行えないのが現状である。
【０００３】
ここで、信号形態パラーメータの１つである水平ブランキングパルスについて考えると、この水平ブランキングパルスの幅及び位置が表示装置側でうまく調整されないと、表示装置における表示画像の一部が欠けることになる。以下、水平ブランキングパルスの位置及び幅を調整する際の従来の手法について説明する。水平ブランキングパルスの位置と幅との調整では、前側のエッジと後側のエッジとを合わせるために、水平ブランキングパルスの波形をオシロスコープにてモニタし、しかも表示画像を参照しながら、この水平ブランキングパルスの位置データと幅データとを交互に数回にわたって除々に調整していくという手法が用いられている。
【０００４】
図３は、水平ブランキングパルスのタイミング図であり、図３には映像信号及びクランプパルスも併せて示している。以下、図３を参照して従来の水平ブランキングパルスの従来の調整方法についてもう少し詳述する。図３に示すように、水平ブランキングパルスの前側のエッジ位置は、クランプパルスからの位置データにより決定されているので、このときに、表示画像が欠けないように水平ブランキングパルスの幅データを調整した場合には、水平ブランキングパルスの後側のエッジ位置がずれることになる。そこで、オシロスコープにて水平ブランキングパルスの位置をモニタしてその位置データを調整して、後側のエッジ位置を調整し直し、その後また、幅データを調整して前側のエッジ位置を調整し直すというように、幅データの調整，位置データの調整を１回ずつ交互に繰り返さなければならない。
【０００５】
【発明が解決しようとする課題】
以上のように、水平ブランキングパルスに対する従来の調整方法は極めて煩雑であるという問題点がある。
【０００６】
本発明は斯かる事情に鑑みてなされたものであり、水平ブランキングパルスの調整を従来に比べて容易に行うことができる液晶表示装置を提供することを目的とする。
【０００７】
【課題を解決するための手段】
本願の請求項１に係る液晶表示装置は、入力される映像信号の信号形態パラメータをマニュアル調整して映像信号に応じた画像を表示する液晶表示装置において、水平ブランキングパルスの位置を調整するための第１のデータと水平ブランキングパルスの幅を調整するための第２のデータとの関係式を示すデータを保持する手段と、この関係式に基づいて前記第１のデータまたは前記第２のデータの何れか一方を調整するための入力を受け付ける調整データ入力部とを備えることを特徴とする。
【０００９】
本願の請求項２に係る液晶表示装置は、請求項１において、調整後の水平ブランキングパルスの位置及び幅のデータを格納する手段を備えることを特徴とする。
【００１０】
【作用】
本発明では、水平ブランキングパルスの位置データと幅データとを用いた所定の関係式（一方のデータをパラメータとして他方のデータを表現した式）を設定しておき、水平ブランキングパルスを調整する際に、位置データ及び幅データの何れか一方を調整する。そうすると、この一方のデータが調整されるにつれて設定しておいた関係式に従って他方のデータも調整される。この結果、一方のデータの１回の調整により、水平ブランキングパルスの幅及び位置の調整を正確に行えて、その調整作業は従来に比べて簡易化する。
【００１１】
また、本発明では上述のようにして決定された水平ブランキングパルスの調整データを格納しておく。このようにしておくと、この格納しておいた水平ブランキングパルスの調整データを読み出して利用することにより、次回の同機種のコンピュータに迅速かつ容易に対応できる。
【００１２】
【実施例】
以下、本発明をその実施例を示す図面に基づいて具体的に説明する。
【００１３】
図１は、本発明の液晶プロジェクタとしての表示装置の構成を示すブロック図である。図において、１は調整データ入力部、２はＣＰＵであり、調整データ入力部１はパラメータ調整のための調整データをＣＰＵ２に入力し、ＣＰＵ２は入力された調整データを表示タイミングの制御データに変換してタイミング制御部４へ出力する。また、ＣＰＵ２には、コンピュータの機種に応じた調整データを格納している不揮発性メモリ３が接続されており、ＣＰＵ２，不揮発性メモリ３間において調整データの授受が行われる。つまり、新しい機種のコンピュータに接続された場合には、その新規なコンピュータに合った調整データがＣＰＵ２から不揮発性メモリ３に送出されて格納され、以前にも接続されたことがある機種のコンピュータに接続された場合には、そのコンピュータに合った調整データが不揮発性メモリ３からＣＰＵ２に読み出される。
【００１４】
また、信号処理回路５は接続されたコンピュータからの入力信号（ＴＴＬ信号またはアナログ信号）を入力して、表示用の信号（映像信号，水平・垂直同期信号等）をタイミング制御部４へ出力する。タイミング制御部４は、ＣＰＵ２からの表示タイミングの制御データと信号処理回路５からの表示用の信号とにより、画像表示を制御するパネル制御信号を液晶パネル６へ出力する。そして、タイミング制御部４の制御に基づいて、接続されたコンピュータからの映像信号に応じた画像が正常に液晶パネル６に表示されるようになっている。
【００１５】
次に、動作について説明する。以下の説明では、複数種類の信号形態パラメータに対する調整動作の中で、本発明の要旨である水平ブランキングパルスの調整動作について言及する。水平ブランキングパルスに対する位置データの調整量Ａと幅データの調整量Ｂとにおいて、以下の式（１）に示すような関係式を設定し、調整量Ｂをパラメータとして調整量Ａを表現する。
Ａ＝Ｃ−Ｂ              …（１）
但し、Ｃ：映像信号の１水平期間の総ドット数によって決まる定数
そして、この式（１）の関係を維持しながら水平ブランキングパルスの調整を行うようなプログラムを予めＣＰＵ２内にセットしておく。
【００１６】
未対応のコンピュータに接続された場合の水平ブランキングパルスの調整処理について説明する。図２は、水平ブランキングパルスのタイミング図であり、図２には映像信号及びクランプパルスも併せて示している。調整データ入力部１に幅データの調整量Ｂを入力する。図２に示すように、定数Ｃによって水平ブランキングパルスの後側のエッジ位置がほぼ決まるので、幅データを１回だけ調整量Ｂにて調整すれば、上記式（１）に従って位置データの調整量Ａはほぼ決まってしまって、極めて簡単に調整処理は完了する。なお、必要があれば位置データを微調整するが、幅データを再調整するような必要はほとんどない。
【００１７】
そして、決定された水平ブランキングパルスの調整データ（幅データ，位置データ）は、次回の同機種のコンピュータに対応できるように、不揮発性メモリ３に格納される。また、この調整データでタイミング制御部４に制御データが送出される。一方、接続されたコンピュータからの入力信号より処理された表示用の信号が信号処理回路５からタイミング制御部４に送出される。そして、タイミング制御部４の制御に基づいて、映像信号に応じた画像が正常に液晶パネル６に表示される。
【００１８】
次に、以前に対応したことがあるコンピュータに接続された場合の動作について説明する。既知の機種のコンピュータからの信号が入力されると、その機種に合った水平ブランキングパルスの調整データが、不揮発性メモリ３からＣＰＵ２に読み出される。そして、この読み出された調整データでタイミング制御部４に制御データが送出され、上述した未知のコンピュータの場合と同様に、映像信号に応じた画像が正常に液晶パネル６に表示される。
【００１９】
なお、上述の実施例では、幅データの調整に付随して位置データの調整も行えるようにしたが、これとは逆に、位置データの調整に付随して幅データの調整も行えるように構成しても同様の効果を奏する。また、位置データ及び幅データの関係式とした上記式（１）は一例であり、両方のデータ同士の関係を示す式であればこれ以外の関係式を採用してもよい。
【００２０】
【発明の効果】
以上のように本発明では、水平ブランキングパルスの位置及び幅が一定の関係を維持しながら、一方を変化させるので、水平ブランキングパルスの調整処理を従来に比べて飛躍的に簡素化することができ、液晶プロジェクタ等の表示装置が新しいコンピュータに対応するために必要なパラメータ調整の一つである水平ブランキングパルスの調整を従来に比べて極めて容易に行うことが可能となる。
【図面の簡単な説明】
【図１】本発明の表示装置の構成を示すブロック図である。
【図２】映像信号，水平ブランキングパルス及びクランプパルスのタイミング図である。
【図３】映像信号，水平ブランキングパルス及びクランプパルスのタイミング図である。
【符号の説明】
１  調整データ入力部
２  ＣＰＵ
３  不揮発性メモリ
４  タイミング制御部
５  信号処理回路
６  液晶パネル
【図１】
0003767917.tif 000002
【図２】
0003767917.tif 000003
【図３】
0003767917.tif 000004